(57)【特許請求の範囲】
【請求項１】
フレームと、前記フレームに連結しかつ並進軸線に沿ってフレームに対して移動可能なラジエータ本体とを具えるパッシブラジエータにおいて、前記ラジエータ本体に、中心質量素子と、前記中心質量素子に対して同心状に位置決めした１個の質量素子と、前記中心質量素子と前記質量素子を移動可能に連結する少なくとも１個の弾性環状連結素子により構成された第１の連結ユニットと、前記質量素子を前記フレームに移動可能に固定する少なくとも１個の弾性環状連結素子により構成された第２の連結ユニットとを備え、前記中心質量素子が第１の連結ユニットとともに質量ばね系を生じ、前記質量素子は前記第１及び第２の連結ユニットとともに質量ばね系を生じ、前記全ての質量ばね系が同一の共振周波数を有する構成としたことを特徴とするパッシブラジエータ。
【請求項２】
フレームと、前記フレームに連結しかつ並進軸線に沿ってフレームに対して移動可能なラジエータ本体とを具えるパッシブラジエータにおいて、前記ラジエータ本体に、中心質量素子と、前記中心質量素子に対して同心状に位置決めした少なくとも２個の質量素子と、前記中心質量素子と前記中心質量素子に隣接する質量素子を移動可能に連結する少なくとも１個の弾性環状連結素子により構成された第１の連結ユニットと、隣接する複数の質量素子相互を移動可能に連結する少なくとも２個の弾性環状連結素子により構成された第２の連結ユニットと、前記フレームに隣接する質量素子をフレームに移動可能に固定する少なくとも１個の弾性環状連結素子により構成された第３の連結ユニットとを備え、前記中心質量素子が前記第１の連結ユニットとともに質量ばね系を生じ、同心状に配列した前記質量素子は当該質量素子の内側及び外側で隣接する前記第１乃至第３の連結ユニットとともにそれぞれ質量ばね系を生じ、前記全ての質量ばね系が同一の共振周波数を有する構成としたことを特徴とするパッシブラジエータ。
【請求項３】
請求項１又は請求項２に記載のパッシブラジエータにおいて、連結ユニットは、主にラジエータ本体の並進軸線に沿う質量素子の移動を可能にし、それ以外の運動には抵抗を示すようにしたパッシブラジエータ。
【請求項４】
請求項３に記載のパッシブラジエータにおいて、複数個の連結ユニットには、前記弾性環状連結素子の他に他の弾性環状連結素子をも含め、各連結ユニットの前記弾性環状連結素子及び前記他の弾性環状連結素子が、ラジエータ本体の並進軸線に沿って測って互いに距離をとって配置したパッシブラジエータ。
【請求項５】
請求項１乃至請求項２又は請求項４のいずれか一項に記載のパッシブラジエータにおいて、前記連結素子を互いに同一にしたパッシブラジエータ。
【請求項６】
請求項１乃至請求項２又は請求項４のいずれか一項に記載のパッシブラジエータにおいて、複数個の連結素子を互いに異なる寸法にし、この寸法は中心質量素子から離れる方向に増大するものとしたパッシブラジエータ。
【請求項７】
請求項１又は請求項２に記載のパッシブラジエータにおいて、前記ラジエータ本体及び連結ユニットが互いに１個の一体ユニットをなす構成としたパッシブラジエータ。
【請求項８】
請求項１乃至請求項７のいずれか一項に記載のパッシブラジエータと、電気力学的スピーカとを収納するハウジングを有することを特徴とするスピーカ装置。
【請求項９】
請求項８に記載のスピーカ装置を設けたオーディオ／ビジュアル情報提供装置。
【発明の詳細な説明】
【０００１】
本発明は、レームと、このフレームに連結しかつ並進軸線に沿ってフレームに対して移動可能なラジエータ本体とを具える受動発振子即ちパッシブラジエータに関するものである。
【０００２】
このようなラジエータは米国特許第３，６６９，２１５号に記載されており、低音反射型即ちバスレフ(bass reflex)型のスピーカ装置に使用するよう設計されるものである。既知のパッシブラジエータは、バスケット形の降れと、このフレームから懸垂した円錐形本体とを有する。使用される懸垂形態は、円錐形本体の最大周縁リムとフレームとの間に延在する変形可能な懸垂リングによって行う。円錐形本体の最小周縁リムにプレートを固定し、更に、このプレートを３個の弾性ワイヤ素子を介してフレームの後方部分に固定する。この懸垂によって円錐形本体がフレームに対して限定範囲内の移動が可能になり、円錐形本体が大きな側方寸法を有する場合のみ大きな容積放出即ち、大量の空気の放出を行うことができる。
【０００３】
本発明の目的は、ラジエータが限られた横方向寸法しか持たない場合でも比較的大きな空気容積放出を可能にする上述の受動発振子即ち、パッシブラジエータを得るにある。
【０００４】
この目的を達成するため、本発明に係るパッシブラジエータは、前記ラジエータ本体に、中心質量素子と、前記中心質量素子に対して同心状に位置決めした１個の質量素子と、前記中心質量素子と前記質量素子を移動可能に連結する少なくとも１個の弾性環状連結素子により構成された第１の連結ユニットと、前記質量素子を前記フレームに移動可能に固定する少なくとも１個の弾性環状連結素子により構成された第２の連結ユニットとを備え、前記中心質量素子が第１の連結ユニットとともに質量ばね系を生じ、前記質量素子は前記第１及び第２の連結ユニットとともに質量ばね系を生じ、前記全ての質量ばね系が同一の共振周波数を有する構成としたことを特徴とする。
また、この目的を達成するため、本発明に係るパッシブラジエータは、フレームと、前記フレームに連結しかつ並進軸線に沿ってフレームに対して移動可能なラジエータ本体とを具えるパッシブラジエータにおいて、前記ラジエータ本体に、中心質量素子と、前記中心質量素子に対して同心状に位置決めした少なくとも２個の質量素子と、前記中心質量素子と前記中心質量素子に隣接する質量素子を移動可能に連結する少なくとも１個の弾性環状連結素子により構成された第１の連結ユニットと、隣接する複数の質量素子相互を移動可能に連結する少なくとも２個の弾性環状連結素子により構成された第２の連結ユニットと、前記フレームに隣接する質量素子をフレームに移動可能に固定する少なくとも１個の弾性環状連結素子により構成された第３の連結ユニットとを備え、前記中心質量素子が前記第１の連結ユニットとともに質量ばね系を生じ、同心状に配列した前記質量素子は当該質量素子の内側及び外側で隣接する前記第１乃至第３の連結ユニットとともにそれぞれ質量ばね系を生じ、前記全ての質量ばね系が同一の共振周波数を有する構成としたことを特徴とする。
【０００５】
弾性連結素子によって相互連結した２個又はそれ以上の質量素子を使用することにより、存在する質量素子のそれぞれが使用中の全体空気放出に寄与する多重懸垂構造となる。各質量素子はそれぞれ動作中隣接の質量素子に対してラジエータ本体の並進軸線に沿って移動し、個別の移動の集積が全体としてのフレームに対する移動となる。このようにして比較的大きい質量素子の移動が得られ、比較的小さいラジエータ本体でも相当大きい容積移動が可能になる。使用中の寄生共振に対抗するためには、上述の本発明によるパッシブラジエータに存在する質量ばね系が同一又は実質的に同一の共振周波数を有することが必要であることを見いだした。この条件を満たさない場合には、個々の質量素子の移動の位相がずれて、使用中に深刻な音響歪み及び／又は減衰を生ずる。
【０００６】
国際公開ＷＯ‐Ａ９７／４６０４７号には、フレームと、質量素子と、この質量素子とフレームとの間に延在するサブフレームとを有し、質量素子を第１弾性懸垂リングによってサブフレームに移動可能に固定し、またサブフレームを第２弾性懸垂リングによってフレームに移動自在に固定したパッシブラジエータが記載されている。質量素子の最大ストロークはこのような各懸垂リングの最大ストロークの合計によって規定される。この既知の構造ではそれ相当の容積放出が可能であるが、より高い出力では低周波数帯域での高調波ひずみを防止するためより大きい最大ストロークが望ましい。
【０００７】
本発明によるパッシブラジエータの実施例においては、連結ユニットは、主にラジエータ本体の並進軸線に沿う質量素子の移動を可能にし、それ以外の運動には抵抗を示すようにする。この実施例においては、動作中における質量素子相互の好ましくない傾動を防止する。このような質量素子相互の傾動は音響再生にひずみをもたらす。環状連結素子はそれ自体既知のポリウレタン又はゴムのような弾性材料で形成し、好適には、それぞれ折り曲げ構造又は溝形構造にする。連結素子の形状及び寸法は、動作中に生ずる圧力変動に対する必要な抵抗性及び可撓的変形能力によって規定される比較的狭い許容範囲内にあり、質量素子の移動中にもつれや衝突のような好ましくない作用がないようにする。ゆるすぎたり、又は可撓的変形を生じない連結素子は、好ましくないひずみを生じ、特に音響再生において二次及びそれより高次のひずみを生じ、不快なノイズを付加することになる。米国特許第３，６６４，２１５号に記載のラジエータの懸垂リングの寸法を大きくしたり、国際公開ＷＯ‐Ａ９７／４６０４７号に記載のラジエータの懸垂リングの寸法を大きくしたりすることでは、満足のいく結果は得られないのはこのような理由からである。このようにして得られる大きな容積放出では、音響再生品質を損なうことになる。
【０００８】
本発明によるラジエータの実施例においては、複数個の連結ユニットには、前記弾性環状連結素子の他に他の弾性環状連結素子をも含め、各連結ユニットの前記弾性環状連結素子及び前記他の弾性環状連結素子が、ラジエータ本体の並進軸線に沿って測って互いに距離をとって配置する。この実施例は、平坦な又は薄いラジエータ本体の代わりに、軸線方向寸法が大きい即ち、ラジエータ本体の並進軸線に平行な方向に大きな寸法を有するラジエータ本体を使用する場合に特に好適である。この実施例に使用される連結素子の固有の構成によってラジエータ本体の質量素子のよく規定された移動を保証し、従って、圧力変動及び／又は寄生共振の結果の揺動が回避される。
【０００９】
本発明によるラジエータの実施例においては、前記質量素子の数を３個又は４個とする。これ以外の数の質量素子も可能であるが、３個又は４個の質量素子にする設計が比較的大きい空気容積放出を達成するのに実用的であることを見いだした。
【００１０】
本発明によるラジエータの実施例においては連結素子を互いに同一とする。この実施例は、各質量素子が隣接の質量素子に対して同一の最大軸線方向ストロークを与える場合に好適である。実用的な実施例では、連結素子は例えば、オメガ形状にする。更に他の連結素子を設ける場合には、それ以外の連結素子に対して鏡対称位置に設け、質量素子の移動及び振幅に非対称性を生ずるのを防止するようにする。
【００１１】
本発明によるラジエータの実施例においては複数個の連結素子を互いに異なる寸法にし、この寸法は中心質量素子から離れる方向に増大するものとする。この構成により、環状質量素子が存在する中心質量素子よりも、即ち、隣接の中心質量素子又は中心側に位置する質量素子よりも大きい最大移動を生ずるようにすることができる。この構成の利点は、連結素子の好ましくない変形を生ずることなく連結素子のストロークを最適に利用できる点である。
【００１２】
本発明によるパッシブラジエータの実施例においては、前記ラジエータ本体及び連結ユニットが互いに１個の一体ユニットをなす構成とする。このようなユニットにおける質量素子及び連結素子は単一材料例えば、ゴムから形成すると好適である。一体ユニットはフレームの周縁に固定するスキン、特に薄いスキンとして構成する。この実施例における質量素子の数は、本明細書で説明した３個又は４個よりももっと大きい数にすることができる。
【００１３】
本発明は、更に、電気力学的スピーカ及びパッシブラジエータを収納するハウジング又はキャビネットを有するスピーカ装置に関するものである。スピーカはそれ自体既知のタイプとすることができる。スピーカ装置に設ける本発明によるパッシブラジエータは、請求項１乃至７のうちのいずれか一項に記載のように構成する。本発明による連結ユニット及びパッシブラジエータの系により、ハウジング内での圧力変動によって決まる質量素子の相対移動が可能になり、この移動が全体的に大きな空気放出を生じ、従って、比較的大きな音圧を得ることができる。このような系において、種々の連結ユニットがハウジング内の圧力変動の影響の下でラジエータの全体的移動質量に十分調和し、また同調周波数いわゆるこの系のヘルムホルツ共鳴周波数に調和するストロークを可能にする。
【００１４】
更に、本発明は、オーディオ、及びできればビジュアルの情報を提供する装置に関し、この装置に本発明によるスピーカ装置を設ける。
【００１５】
以下に図面につき、本発明の実施例を詳細に説明する。
【００１６】
従属請求項で定義される特徴の種々の組み合わせも可能である。
図１に示す本発明による受動発振子即ちパッシブラジエータは、低音反射型即ちバスレフ(bass reflex)型スピーカ装置に好適である。このラジエータは、フレーム１と、このフレーム１に対して並進軸線Ｔに沿って移動自在のラジエータ本体３と、このラジエータ本体３をフレーム１に可撓的に連結する連結手段とを有する。この実施例のフレーム１は円筒形である。この実施例のラジエータ本体３は、中心質量素子３ａと、この質量素子３ａの周りに同心状に配列した３個の質量素子３ｂ，３ｃ，３ｄを有する。この実施例の中心質量素子３ａは２個の凸状閉鎖端面を有する筒状体として構成する。この実施例の他の質量素子３ｂ，３ｃ，３ｄも筒状体として構成するが、開放した端面を有するものとする。これら筒状体には閉鎖した筒壁又は多少開放した筒壁を設ける。この実施例の上述の連結手段は４個の連結ユニット５ａ，５ｂ，５ｃ，５ｄを有する。３個の連結ユニット５ａ，５ｂ，５ｃはそれぞれ互いに隣接する素子３ａ，３ｂ；３ｂ，３ｃ；及び３ｃ，３ｄを互いに移動自在に連結する。連結ユニット５ｄは質量素子３ｄをフレーム１に移動自在に連結する。この実施例では、連結ユニット５ａ，５ｂ，５ｃ及び５ｄは、それぞれ２個の環状連結素子５ａ１，５ａ２；５ｂ１，５ｂ２；５ｃ１，５ｃ２；及び５ｄ１，５ｄ２よりなる。この実施例のこれら連結素子はオメガ形状の断面を有し、ゴムから形成する。環状連結素子の端縁を質量素子３ａ，３ｂ，３ｃ，３ｄ、及びフレーム１に例えば、それ自体既知の接着剤を塗布してまた形状を考慮して連結し、使用中に質量素子３ａ，３ｂ、３ｃ，３ｄが主に並進軸線Ｔに沿って移動するとともに、連結素子の材料特性は、質量素子の好ましくない傾動に逆らう作用を行う挙動を示すものとする。この実施例では、連結素子は互いに同一にし、互いに対向する２個の連結素子５ａ１，５ａ２；５ｂ１，５ｂ２；５ｃ１，５ｃ２；及び５ｄ１，５ｄ２の波の山がそれぞれ互いに離反するよう対称的な懸垂構成にする。
【００１７】
図１に示す本発明によるパッシブラジエータでは４個の互いに独立した質量ばね系が存在する。これら質量ばね系は隣接の連結ユニット５ａ（即ち、隣接の連結素子５ａ１，５ａ２）を有する質量素子３ａ；隣接の連結素子５ａ１，５ａ２及び５ｂ１，５ｂ２を有する質量素子３ｂ；隣接の連結素子５ｂ１，５ｂ２及び５ｃ１，５ｃ２を有する質量素子３ｃ；隣接の連結素子５ｃ１，５ｃ２及び５ｄ１，５ｄ２を有する質量素子３ｄによって生ずる。図示の実施例の特徴の一つは、これら質量ばね系のすべては同一又はほぼ同一の共振周波数を有し、動作中質量素子３ａ，３ｂ，３ｃ，３ｄが常に同一位相で確実に移動することである。パッシブラジエータの信頼性のある動作は、この対策により、図１に示すアイドル状態からの中心質量素子３ａの最大移動量が個別の連結ユニット５ａ，５ｂ，５ｃ，５ｄで許容される最大移動量の和となることで保証される。質量素子３ｂの最大移動量は個別の連結ユニット５ｂ，５ｃ，５ｄの最大ストロークの和に；質量素子３ｃの最大移動量は個別の連結ユニット５ｃ，５ｄの最大ストロークの和に；質量素子３ｄの最大移動量は連結ユニット５ｄの最大ストロークに対応することは明らかであろう。大量の空気の放出は、このようにして得られたラジエータ本体３の比較的大きな最大移動量によって可能になる。
【００１８】
図２に示す本発明によるパッシブラジエータは、環状フレーム１１と、複数個の質量素子よりなるラジエータ本体１３とを有する。ラジエータ本体１３は並進軸線Ｔに沿ってフレーム１１に対して移動自在である。この実施例では、ラジエータ本体１３は、円筒形の中心質量素子１３ａと、２個の円筒形の質量素子１３ｂ、１３ｃを有する。質量素子１３ａ，１３ｂ及び１３ｃはすべて一つの同一ゾーンに位置し、共通軸線としての並進軸線Ｔ* に同軸状に配列する。質量素子１３ａ，１３ｂ，１３ｃは、それぞれ弾性環状連結素子対５ａ１，５ａ２及び５ｂ１，５ｂ２によって機械的に２個ずつ相互連結する。質量素子１３ｃは更に、１対の弾性環状連結素子対５ｃ１，５ｃ２によってフレーム１１に機械的に連結する。この実施例に使用される質量素子１３ａ，１３ｂ，１３ｃの構成及び連結素子５ａ１，５ａ２；５ｂ１，５ｂ２；５ｃ１，５ｃ２の構成は３個の質量ばね系を生ずることを意味する。これら質量ばね系は、それぞれ、質量素子１３ａ及び連結素子対５ａ１，５ａ２によって；質量素子１３ｂ及び連結素子対５ａ１，５ａ２、５ｂ１，５ｂ２によって；また質量素子１３ｃ及び連結素子対５ｂ１，５ｂ２，５ｃ１，５ｃ２によって生ずる。これらすべての質量ばね系は、同一の共振（又は固有）周波数を有する。使用される連結素子５ａ１，５ａ２；５ｂ１，５ｂ２；５ｃ１，５ｃ２は、すべて可撓性であり、並進軸線Ｔ* に平行な方向に撓み、側方への変形に対しては十分大きな抵抗を示す。この実施例における連結素子は形状を異ならせ、このようにする目的は、質量素子１３ａ，１３ｂ，１３ｃの軸線方向即ち、並進軸線Ｔ* に平行な方向の移動量を互いに異ならせるためである。この実施例において、連結素子対５ａ１，５ａ２は最小の軸線方向移動をもたらし、連結素子対５ｃ１，５ｃ２は最大軸線方向移動をもたらす。個別の質量素子１３ａ，１３ｂ，１３ｃの最大絶対移動量、換言すればフレーム１１に対する最大移動量は、１３ｃ、１３ｂ、１３ｃの順序で上昇し、従って、中心質量素子１３ａが最大の絶対移動量又は振幅を有する。
【００１９】
図３に示す本発明によるパッシブラジエータは、フレーム２１と、このフレーム２１に固定しかつ並進軸線Ｔ**に沿って撓むことができるフォイル２２とを有する。例えば、ゴム製のフォイル２２は同心状の構体を設け、この構体は例えば、厚さ又は密度を変化させて、中心質量素子２３ａと、多数の環状質量素子２３ｘと、環状連結素子２５ｙを設け、相互に関連して同一の共振周波数を有する質量ばね系をなすようにする。従って、フォイル２２は、質量素子、及びラジエータ本体をフレームに可撓的に連結しかつ質量素子を相互に可撓的に連結する連結素子を有するラジエータ本体を一体に収納したユニットとみなすことができる。このための好適な構体はコンピュータによる計算及び／又はシミュレーシイョンによって決定することができる。
【００２０】
図４に示す本発明による低音反射即ちバスレフ(bass reflex)システムである拡声器即ち、スピーカ装置は、図１に示す実施例の本発明によるパッシブラジエータ１０３と、電気力学的スピーカ１０２を設けたハウジング又は共鳴ボックス１００を有する。スピーカ１０２は動作中ラジエータ１０３を駆動し、この場合、スピーカ及びラジエータがともに音響スペクトルの低周波数帯域の音響生成を確実にする。従って、このシステムはサブウーハ装置といえる。この装置のハウジング１００には、パッシブラジエータ１０３のフレーム１が通過する第１開口１０４と、スピーカ１０２のフレーム１０１が通過する第２開口１０６とを設ける。フレーム１及びフレーム１０１は、それぞれ開口１０４，１０６を包囲するハウジングの端縁部分100ａ，100ｂに固定する。
【００２１】
パッシブラジエータについて更に説明すると、図１に関連する説明を参照して図１の実施例における質量ばね系の共振周波数は、図４のシステムのヘルムホルツ共鳴に等しいと理解されたい。
【００２２】
このシステムに使用されるスピーカ１０２は、サブフレーム１０１ａと、薄膜１０５と、及び電磁アクチュエータ１０７とを有する。この実施例では円錐形のサブフレーム１０１ａはフレーム１０１と円錐形薄膜１０５との間に延在する。図示の実施例ではダストカバー１１７が薄膜１０５に存在する。サブフレーム１０１ａは閉じた包囲面を有し、この包囲面の反対側においてフレーム１０１に反響開口を設ける。薄膜１０５は、開口１０９を有する前方部分１０５ａと、管状中心素子１１１を有する後方部分１０５ｂを有する。アクチュエータ１０７の、この実施例ではコイルの形式の第１アクチュエータ部分１０７ａをこの管状中心素子１１１上に配置する。コイル１０７ａは導電体１０８を介してフレーム１０１に固定した接続接点１１０に電気的に接続する。アクチュエータ１０７は、図示の実施例では更に、環状マグネット１０７ｂ１と、ヨーク部分１０７ｂ２と、及びフレーム１０１のフレーム部分１０１ｂに固定したヨーク部分１０７ｂ３とを設けた第２アクチュエータ部分１０７ｂを有する。コイル１０７ａが延在する空隙１０７ｃをヨーク部分１０７ｂ２，１０７ｂ３間に設ける。アクチュエータを励起したとき、コイル１０７ａ及び従って、薄膜１０５は双頭矢印Ｘで示す軸線方向に薄膜軸線１０５ｃに沿って移動する。
【００２３】
薄膜１０５はサブフレーム１０１ａに懸垂し、またサブフレーム１０１ａはスピーカ１０２のフレーム１０１に懸垂する。この目的のため、スピーカ１０２には、薄膜１０５の前方部分１０５ａをサブフレーム１０１ａに連結する第１可撓性連結素子１１３と、サブフレーム１０１ａを前方部分１０５ａのレベルでフレーム１０１に連結する第２可撓性連結素子１１５を設ける。この実施例では連結素子１１３，１１５はオメガ状の断面を有する環状素子として構成する。例えば、ポリウレタンで形成した連結素子１１３，１１５を薄膜１０５及びサブフレーム１０１ａに、またサブフレーム１０１ａ及びフレーム１０１にそれぞれ接着剤によって固定する。好適には、互いに同軸状に延在する第１連結素子１１３及び第２連結素子１１５は１個の可撓性素子として構成する。
【００２４】
図示の実施例ではスピーカ１０２に、更に、可撓性心決め素子１１９を設け、この心決め素子は、適当な実施例例えば、織物生地で形成した同心状の波形パターンを有する心決めディスクとして構成し、サブフレーム１０１ａを後方部分１０５ｂに、特にこの後方部分１０５ｂの中心素子１１１に連結する。心決め素子１１９及び連結素子１１３，１１５は軸受手段をなし、この軸受手段は矢印Ｘに沿う軸線方向にたるみを有して撓むことができるが、それ以外の方向には剛性を示し、サブフレーム１０１ａを含むコイル１０７ａを有する薄膜１０５がフレーム１０１に対して規定された軸線方向移動を行うことができるようにする。図示のスピーカとは異なるスピーカも使用することができ、例えば、単独の懸垂振動系を有するスピーカを使用することができる。
【００２５】
図５に示す本発明による装置は、フラットパネルのマルチメディアＴＶセットである。この装置にはキャビネット２０１を設け、このキャビネットに、画像スクリーンと、本発明によるスピーカを２個設ける。キャビネット２０１の前面にオン／オフ切替ユニット２０７を設ける。この実施例のスピーカ装置は、図４に示すスピーカ装置に対応し、図５では参照符号２０５を付けて説明する。従って、スピーカ装置２０５は、スピーカ１０２及び本発明によるパッシブラジエータ１０３を設けたハウジング１００を有する。図示の装置の代わりに、本発明による装置をＴＶセット、モニタ、又はオーディオ装置に適用することができる。更に、装置に使用するラジエータは図２又は図３に示すような構成とするか、又は本発明の範囲内の他の構成とすることができ、また図４に示すスピーカとは異なるスピーカを使用することもできる。更にまた本発明は図１及び図２に示すラジエータの実施例に限定するものではない。３個又は４個の数ではなく、２個又は４個以上の数の質量素子を使用することもでき、またオメガ形状の連結素子以外に正弦波形状又は他の形状の適当な連結素子も使用することができる。
【図面の簡単な説明】
【図１】  本発明によるパッシブラジエータの第１の実施例の線図的縦断面図である。
【図２】  本発明によるパッシブラジエータの第２の実施例の線図的縦断面図である。
【図３】  ラジエータの第３の実施例の線図的縦断面図である。
【図４】  本発明によるスピーカ装置の実施例の線図的縦断面図である。
【図５】  本発明によるの実施例の線図的正面図である。
【図１】
0004578747.tif 000002
【図２】
0004578747.tif 000003
【図３】
0004578747.tif 000004
【図４】
0004578747.tif 000005
【図５】
0004578747.tif 000006